(57)【要約】【課題】幼児に対する姿勢保持効果を確実に発揮させることが可能なクッションを提供する。【解決手段】シート形状を付与するための剛性が付与されたシート本体を、シート本体に対して着脱可能なシートカバー４で覆ったシート３に適用され、シートカバー４の表面に幼児を支持するための凹凸形状を付加するクッション５において、シート本体及びシートカバー４のいずれに対しても異なる工程で別部品として製造された少なくとも一つのパッド状部品１０、３０、５０をクッションに設ける。そのパッド１０、３０、５０をそれらの製造後にシート３に対して分離不能に固定する。【選択図】図２
2007099201.tif 000002
【特許請求の範囲】
【請求項１】
シート形状を付与するための剛性が付与されたシート本体を、該シート本体に対して着脱可能なシートカバーで覆ったシートに適用され、前記シートカバーの表面に幼児を支持するための凹凸形状を付加するクッションであって、前記シート本体及び前記シートカバーのいずれに対しても異なる工程で別部品として製造された少なくとも一つのパッド状部品を含み、該パッド状部品がその製造後に前記シートに対して分離不能に固定されていることを特徴とする幼児用姿勢保持クッション。
【請求項２】
前記パッド状部品が前記シートカバーの表面に分離不能に固定されていることを特徴とする請求項１に記載のクッション。
【請求項３】
前記パッド状部品が前記シート本体の表面に固定されていることを特徴とする請求項１に記載のクッション。
【請求項４】
前記パッド状部品として幼児の臀部を支持する臀部パッドを含み、該臀部パッドが前記シートに対して分離不能に固定されていることを特徴とする請求項１に記載のクッション。
【請求項５】
前記臀部パッドとは別に、幼児の頭部及び腰部をそれぞれ支持する頭部パッド及び腰部パッドが前記シートに対して着脱自在に設けられていることを特徴とする請求項４に記載のクッション。
【請求項６】
シート形状を付与するための剛性が付与されたシート本体を、該シート本体に対して着脱可能なシートカバーで覆ったシートと、前記シートカバーの表面に幼児を支持するための凹凸形状を付加するクッションとを具備し、前記クッションは、前記シート本体及び前記シートカバーのいずれに対しても異なる工程で別部品として製造され、その製造後に前記シート本体の表面に分離不能に固定されたパッド状部品を含み、前記シートカバーには前記シート本体に固定された前記パッド状部品と位置を合わせて抜き孔が設けられていることを特徴とする幼児の支持構造。
【発明の詳細な説明】
【技術分野】
【０００１】
本発明は、ベビーカー、ベビーラック、チャイルドシート等の幼児製品のシートに対して幼児の姿勢を保持するために適用されるクッション等に関する。
【背景技術】
【０００２】
自動車用のチャイルドシート、あるいはベビーベッドに使用されるクッションとして、平板状のベースをその全周に亘って突出部あるいは壁部にて取り囲んだ形状のクッションが提案されている（特許文献１参照）。
【特許文献１】特開２００４−２１６９９８号公報
【特許文献２】特開２０００−２９６７３４号公報
【発明の開示】
【発明が解決しようとする課題】
【０００３】
従来の幼児用姿勢保持クッションは、ベビーベッド等のシートに対してその全体が着脱自在に設けられている。そのため、シートに対してクッションが適切な配置されず、あるいはシートに対してクッションがずれ、クッションを利用した姿勢保持効果が十分に得られないおそれがある。
【０００４】
そこで、本発明は幼児に対する姿勢保持効果を確実に発揮させることが可能なクッション及びそのクッションを用いた幼児支持構造を提供することを目的とする。
【課題を解決するための手段】
【０００５】
本発明は、シート形状を付与するための剛性が付与されたシート本体（９）を、該シート本体に対して着脱可能なシートカバー（４）で覆ったシート（３）に適用され、前記シートカバーの表面に幼児を支持するための凹凸形状を付加するクッション（５）であって、前記シート本体及び前記シートカバーのいずれに対しても異なる工程で別部品として製造された少なくとも一つのパッド状部品（１０、３０、５０）を含み、該パッド状部品がその製造後に前記シートに対して分離不能に固定されたクッションにより、上述した課題を解決する。
【０００６】
本発明のクッションによれば、クッションを構成する少なくとも一つのパッド状部品をシートに固定しているので、シートに対してパッド状部品を最適な位置に保持し、かつシートに対するパッド状部品の位置ずれも生じない。従って、シートに固定されたパッド状部品にて幼児を最適な位置で支持し、そのパッド状部品による姿勢保持効果を確実に発揮させることができる。
【０００７】
本発明のクッションの一形態において、前記パッド状部品が前記シートカバーの表面に分離不能に固定されてもよい。シートカバーの表面にパッド状部品を固定する構成によれば、シートの表面にパッド状部品が露出するため、パッド状部品による幼児の支持位置を明瞭に把握することができる。また、シート上におけるパッド状部品の固定位置をシートカバーの交換によって変化させることができる。
【０００８】
あるいは、前記パッド状部品は前記シート本体の表面に分離不能に固定されてもよい。この場合には、シート本体に固定されたパッド状部品に倣ってシートカバーが変形してシートの表面に幼児を支持するための凹凸形状が出現する。シート本体に固定されたパッド状部品をシート本体に残したままシートカバーを取り外すことができるので、シートカバーを洗濯する場合にそのパッド状部品をシートカバーから外す手間を省略することができる。
【０００９】
本発明のクッションの一形態において、前記クッションは、前記パッド状部品として幼児の臀部を支持する臀部パッド（５０）を含み、該臀部パッドが前記シートに対して分離不能に固定されてもよい。幼児の臀部の支持に適した位置は幼児の体格に関わりなくほぼ一定であるため、シートに対して臀部パッドを分離不能に固定しても、それによりシートに適合する体格範囲が過度に狭められるおそれがない。そして、幼児をシートに載せる際には臀部パッドを基準として幼児を位置決めすることができる。さらに、シートがリクライニング機能を有している場合にはシートの背部を起こしたときに、シート上に固定された臀部パッドが幼児の臀部を受け止めることにより、臀部の前ずれが防止される。
【００１０】
臀部パッドを固定する形態においては、前記臀部パッドとは別に、幼児の頭部及び腰部をそれぞれ支持する頭部パッド（１０）及び腰部パッド（３０）が前記シートに対して着脱自在に設けられてもよい。幼児の体格が小さい段階では、その頭部及び腰部を頭部パッド及び腰部パッドにて支持することにより頭部の横方向への倒れ、腰部の横ずれ等を防止することが望ましいが、首が座り、あるいは上半身が安定する時期以降は臀部の支持と比して頭部及び腰部の支持はその必要性が相対的に小さい。臀部パッドを固定する一方で、頭部パッド及び腰部パッドを着脱自在に設けた形態によれば、幼児が小さい段階では臀部パッドを基準として頭部パッド及び腰部パッドをそれぞれ適切な位置に取り付けて頭部及び腰部を支持し、幼児の成長とともに頭部パッド及び腰部パッドを取り外して臀部パッドのみで幼児を支持することができるので、クッションの使用形態を上述した頭部、腰部及び臀部の支持の必要性の高低に合わせて変化させることができる。これにより、クッションが適合する体格範囲を拡大することができる。
【００１１】
本発明の幼児支持構造は、シート形状を付与するための剛性が付与されたシート本体（９）を、該シート本体に対して着脱可能なシートカバー（４）で覆ったシート（３）と、前記シートカバーの表面に幼児を支持するための凹凸形状を付加するクッション（５）とを具備し、前記クッションは、前記シート本体及び前記シートカバーのいずれに対しても異なる工程で別部品として製造され、その製造後に前記シート本体の表面に分離不能に固定されたパッド状部品（１０、３０、５０）を含み、前記シートカバーには前記シート本体に固定された前記パッド状部品と位置を合わせて抜き孔が設けられることにより、上述した課題を解決する。
【００１２】
本発明の幼児支持構造によれば、シート本体に固定されたパッド状部品がシートカバーの抜き孔を介してシートカバーの表面側に突出することにより、シートの表面に幼児を支持するための凹凸形状が付与される。パッド状部品がシート本体に固定されているので、シートに対してパッド状部品を最適な位置に保持し、かつシートに対するパッド状部品の位置ずれも生じない。従って、シートに固定されたパッド状部品にて幼児を最適な位置で支持し、そのパッド状部品による姿勢保持効果を確実に発揮させることができる。シート本体に固定されたパッド状部品をシート本体に残したままシートカバーを取り外すことができるので、シートカバーを洗濯する場合にそのパッド状部品をシートカバーから外す手間を省略することができる。さらに、シートカバーにクッション材等の内装材が含まれていても、その内装材に影響されることなくパッド状部品がシート表面に直接露出するため、パッド状部品による幼児の姿勢保持効果が損なわれない利点がある。
【００１３】
以上の説明では本発明の理解を容易にするために添付図面の参照符号を括弧書きにて付記したが、それにより本発明が図示の形態に限定されるものではない。本発明において、幼児の語は特に断りのない限り乳児の段階から学齢期に達するまでの広い範囲を含むものとする。
【発明の効果】
【００１４】
以上に説明したように、本発明のクッション及び幼児支持構造によれば、クッションを構成する少なくとも一つのパッド状部品をシートに固定することにより、シートに対してパッド状部品を最適な位置に保持し、かつシートに対するパッド状部品の位置ずれも生じないので、シートに固定されたパッド状部品にて幼児を最適な位置で支持し、そのパッド状部品による姿勢保持効果を確実に発揮させることができる。
【発明を実施するための最良の形態】
【００１５】
［第１の形態］
以下、本発明の第１の形態に係る幼児姿勢保持用クッションを説明する。図１は第１の形態のクッションが適用されるベビーカーの一例を示す。ベビーカー１は、パイプ材を適宜に組み合わせたフレーム構造のベビーカー本体２と、そのベビーカー本体２に取り付けられるシート３とを備えている。ベビーカー本体２は前後方向及び左右方向に折り畳み可能に構成され、さらにシート３はリクライニング可能に構成されている。折り畳み機構、及びリクライニング機構は公知のベビーカーと同様でよい。
【００１６】
図２はシート３の平面図である。シート３は、シート本体（不図示、但し、図４のシート本体９と同様である。）をシートカバー４にて覆った構造を有している。シート本体は樹脂等で構成され、それによりシート本体にはシート形状を付与するための剛性が付与されている。言い換えれば、シート本体は、シート３それ自身に、他の支持手段に依存することなく、一定のシート形状を維持するための剛性を与える芯材として機能する。シート３は曲げ線Ｌ１に沿って折り曲げ可能である。シートカバー４はシート本体から取り外し可能である。シートカバー４には本発明の第１の形態に係るクッション５が設けられている。クッション５は、パッド状部品として、シート３の頭部支持領域Ａ１に配置される頭部パッド１０と、シート３の腰部支持領域Ａ２に配置される左右一対の腰部パッド３０と、シート３の臀部支持領域Ａ３に配置される臀部パッド５０とを備えている。これらのパッド１０、３０、５０のそれぞれは互いに独立した別部品として構成されている。また、パッド１０、３０、５０のそれぞれは、シート３のシート本体及びシートカバー４のいずれに対しても異なる工程で別部品として製造されている。
【００１７】
頭部パッド１０は、ベースシート１１と、そのベースシート１１の外周に沿って設けられた突出部１２とを備えている。ベースシート１１は丸みを帯びた外周形状を有する平板状に形成されている。突出部１２は、頭部パッド１０の下縁に沿って延びる頸支持部１３と、頭部パッド１０の両側縁に沿って延びる一対の側頭支持部１４とを備えている。頸支持部１３は幼児の後頸を支持するために設けられ、側頭支持部１４は幼児の頭部を側方から支持するために設けられている。頸支持部１３と側頭支持部１４とは一体に連なっている。
【００１８】
頭部パッド１０には、適度なクッション性を有する弾性材料を内装材として設けてもよい。内装材としては、綿、ウレタン、低反発ウレタン、ゲル等の弾性材料を用いることができる。内装材は突出部１２のみに設けられてもよいし、ベースシート１１及び突出部１２の双方に内装材が設けられてもよい。
【００１９】
各腰部パッド３０は、その頂点３０ａから全方向に向かってその高さが徐々に減少する突起物として形成されている。これらの腰部パッド３０は幼児の腰部に両側からあてがわれて幼児の腰部の横ずれを防止するために儲けられている。腰部パッド３０の外周形状は、円形、楕円形、長円形、俵形、卵形といった各種の形状に形成してよい。腰部パッド３０についても、適度なクッション性を有する弾性材料を内装材として用いてよい。内装材としては、綿、ウレタン、低反発ウレタン、ゲル等の弾性材料を用いることができる。なお、左右の腰部パッド３０を頭部パッド１０のベースシート１１と同様のベースシートによって相互に連結してもよい。
【００２０】
臀部パッド５０は、ベースシート５１と、そのベースシート５１上で左右方向に延びる突出部５２とを備えている。ベースシート５１は、頭部パッド１０及び腰部パッド３０のベースシート１１、３１と同様に平板状に形成されている。突出部５２は、臀支持部５３と、その臀支持部５３の両端部に配置される一対の膝支持部５４とを備えている。臀支持部５３は幼児の臀部を支持するために設けられ、膝支持部５４は幼児の膝を側方から支持するために設けられている。臀支持部５３と膝支持部５４とは一体に連なっている。
【００２１】
臀部パッド５０についても、適度なクッション性を有する弾性材料を内装材として設けてもよい。内装材としては、綿、ウレタン、低反発ウレタン、ゲル等の弾性材料を用いることができる。内装材は突出部５２のみに設けられてもよいし、ベースシート５１及び突出部５２の双方に内装材が設けられてもよい。
【００２２】
以上のように構成されたパッド１０、３０、５０は、シートカバー４の表面に対して分離不能に固定されている。パッド１０、３０、５０の固定方法としては、熱プレス、つまり熱による樹脂等の溶融を利用した固定方法、縫製、接着、その他、各種の固定方法を利用することができる。このようにパッド１０、３０、５０をシートカバー４の表面に固定すれば、パッド１０、３０、５０をシートカバー４上の最適な位置に保持し、かつシートカバー４に対するパッド１０、３０、５０の位置ずれを防止してパッド１０、３０、５０による姿勢保持効果を確実かつ適切に発揮させることができる。さらに、シート本体に対して着脱可能なシートカバー４にパッド１０、３０、５０を固定しているので、シート３の表面にパッド１０、３０、５０が露出し、これらのパッド１０、３０、５０による幼児の支持位置を明瞭に把握することができる。また、シート３上におけるパッド１０、３０、５０の固定位置をシートカバー４の交換によって変化させることができる。例えば、適合体格範囲が異なる複数のシートカバー４を用意し、それらのシートカバー４を適宜に選択してシート本体に装着することにより、一つのシート本体を広範囲の体格の幼児に適合させることができる。
【００２３】
上記の形態ではパッド１０、３０、５０の全てをシートカバー４に固定したが、一部のパッドをシートカバー４に固定し、他のパッドをシートカバー４に対して着脱自在に設けてもよい。例えば、図３に示すように、頭部パッド１０をシートカバー４に対してシート３の上下方向（図２及び図３における上下方向）に位置調整可能かつ着脱自在な状態で取り付ける一方で、腰部パッド３０及び臀部パッド５０をシートカバー４に対して分離不能に固定してもよい。この例によれば、臀部パッド５０を基準として幼児をシートカバー４上に載置し、幼児の体格に応じて図中に想像線で示すごとく頭部パッド１０の位置を変化させることにより、シート３にて受け入れ可能な幼児の体格の範囲を拡大することができる。幼児の臀部の支持に適した位置は、幼児の体格に関わりなくほぼ一定であるため、シートカバー４に対して分離不能に固定するパッド状部品として臀部パッド５０は最も適している。しかも、臀部パッド５０をシートカバー４に固定した場合には、シートカバー４上で臀部パッド５０が位置ずれを起こすおそれがない。従って、シート３の背部を起こしたとき、臀部パッド５０にて臀部の前ずれを確実に抑えられる利点がある。なお、頭部パッド１０に加え、腰部パッド３０についてもシートカバー４に対して着脱自在に設けてもよい。さらに、腰部パッド３０をシートカバー４に対してシート３の上下方向又は左右方向に位置調整可能としてもよい。
【００２４】
［第２の形態］
図４及び図５は本発明の第２の形態に係るクッションが適用されたシートのシート本体を示している。この形態では、シートに固定されるパッド状部品として、頭部パッド１０、一対の腰部パッド３０及び臀部パッド５０が設けられる点で上述した第１の形態と共通する。また、パッド１０、３０、５０の構成は第１の形態と共通である。しかしながら、第２の形態では、パッド１０、３０、５０がシート本体９の表面に分離不能に固定されている点で第１の形態と異なる。シート本体９は背板９Ａと座板９Ｂとを曲げ線Ｌ１に沿って折り曲げ可能に組み合わせて構成されており、頭部パッド１０及び腰部パッド３０は背板９Ａに固定され、臀部パッド５０は座板９Ｂに固定されている。シート本体９の表面には、第１の形態のクッション５が取り除かれた構成のシートカバーが着脱自在に装着される。
【００２５】
第２の形態によれば、シート本体９上にシートカバー４を被せることにより、シートカバー４がパッド１０、３０、５０の凹凸形状に倣って変形し、それによりシート３の表面に幼児支持用の凹凸形状が付加される。パッド１０、３０、５０をシート本体９に固定した場合には、シートカバー４をシート本体９から取り外す際にそれらのパッド１０、３０、５０をシート本体９上に残したままでよい。従って、シートカバー４を洗濯する場合において、シートカバー４からクッション５を取り外す手間を省略することができる。
【００２６】
第２の形態においても、パッド１０、３０及び５０のうち、一部のパッドをシート本体９に対して分離不能に固定する一方、他のパッドをシート本体９に対して着脱可能に設けてもよい。さらに、シート本体９に対して着脱可能なパッドについてはシート３の上下方向に位置調整可能としてもよい。この場合でも、上述した理由により、シート本体９に対して分離不能に固定するパッド状部品としては臀部パッド５０が最も好ましい。
【００２７】
さらに、図６に示すように、シートカバー４には、パッド１０、３０、５０の取付位置に合わせて抜き孔４ａ、４ｂ、４ｃを設けてもよい。このような抜き孔４ａ〜４ｃを設けた幼児支持構造によれば、シートカバー４をシート本体９に対して着脱する際にクッション５を取り外す必要がなく、しかも、シート３の表面にはパッド１０、３０、５０の凸部が直接露出するため、パッド１０、３０、５０の姿勢保持効果を最大限に発揮させることができる。シートカバー４にクッション材等を内蔵させる場合には、パッド１０、３０、５０による姿勢保持効果がシートカバー４の内装材の影響を受けない利点がある。
【００２８】
本発明は上述した構成に限らず、適宜の形態で実施してよい。例えば、頭部パッド１０は頸支持部１３と側頭支持部１４とが分離された構成でもよい。本発明のクッションは頭部パッド、腰部パッド及び臀部パッドを備えたものに限定されず、一部のパッドが省略され、あるいはさらなるパッド状部品が付加されてもよい。本発明が適用される幼児製品はベビーカーに限らず、ベビーラック、チャイルドシートといったクッションが必要とされる各種の幼児製品をその適用対象とすることができる。
【図面の簡単な説明】
【００２９】
【図１】本発明の第１の形態に係るクッションが適用されるベビーカーの斜視図。
【図２】ベビーカーのシートのクッションが装着された状態における平面図。
【図３】図２の変形例を示す図。
【図４】本発明の第２の形態に係るクッションが適用されたベビーカーのシート本体を示す平面図。
【図５】図４のＶ−Ｖ線に沿った断面図。
【図６】図５の変形例を示す図。
【符号の説明】
【００３０】
１  ベビーカー
３  シート
４  シートカバー
４ａ、４ｂ、４ｃ  抜き孔
５  クッション
９  シート本体
９Ａ  背板
９Ｂ  座板
１０  頭部パッド
３０  腰部パッド
５０  臀部パッド
【図１】
2007099201.tif 000003
【図２】
2007099201.tif 000004
【図３】
2007099201.tif 000005
【図４】
2007099201.tif 000006
【図５】
2007099201.tif 000007
【図６】
2007099201.tif 000008